(57)【特許請求の範囲】
【請求項１】
ケーブルを整列された状態で建屋の外壁面に配線するための薄箱形の本体部と、ケーブルの配線方向が変換される地中からの立上部分と建屋の内部への引込部分とにケーブルの湾曲を収容するためのコーナ部とを備えたケーブル配線用ダクトにおいて、ケーブルの立上部分が建屋近くの地面に保護管に挿通されて立上げられ、ケーブルの引込部分が建屋の上部に開口された引込窓に引込まれるものであり、本体部は建屋の外壁面に固定された枕部材と枕部材に固定され横方向に間隔を介して上下方向に延びるように配設された１対の側枠部材と側枠部材の間に掛渡されケーブルを整列支持する桟部材と両側枠部材に被覆されるように固定され下方側，上方側の一部においてコーナ部の取付面となるように側枠部材を開放させた幕板部材とからなり、コーナ部は本体部からの突出の容積を削減するテーパを有した形状とされケーブルの配線の後に後付けで本体部の開放された側枠部材に当接されて固定され外観的に幕板部材となる取付板が設けられていることを特徴とするケーブル配線用ダクト。
【請求項２】
請求項１のケーブル配線用ダクトにおいて、ケーブルの建屋の内部への引込部分に位置される上部コーナ部は側部，上部に建屋の外壁面に当接されて固定される側部取付板，上部取付板が設けられていることを特徴とするケーブル配線用ダクト。
【発明の詳細な説明】
【技術分野】
【０００１】
本発明は、地中に埋設された電力用，通信用等のケーブルを建屋の外壁面に沿って立上げ外壁面に設けられた引込窓から建屋の内部に引込む際に使用されるケーブル配線用ダクトに係る技術分野に属する。
【背景技術】
【０００２】
最近、電力用，通信用等のケーブルを整列された状態で建屋の外壁面に配線するために薄箱形のケーブル配線用ダクトが使用されるようになってきている。このケーブル配線用ダクトでは、通常、ケーブルの配線方向が変換される地中からの立上部分と建屋の内部への引込部分とにケーブルの湾曲を収容するための深箱形のコーナ部が備えられる。
【０００３】
コーナ部が備えられたケーブル配線用ダクトは、薄箱形の本体部からコーナ部が大きく外側へ突出した格好となってしまうことになる。この結果、ケーブル配線用ダクトの設備に大きなスペースが要求されてしまうため、コンパクトな設備が可能なケーブル配線用ダクトの開発が要望されるようになってきている。
【０００４】
従来、コンパクトな設備を可能にすることを指向したケーブル配線用ダクトとしては、特許文献１，２に記載のものが知られている。
【０００５】
特許文献１，２に係るケーブル配線用ダクトは、共通の断面積の深箱形の本体部，コーナ部を備え、コーナ部がＬ字形に屈曲，湾曲された形状となっている。
【先行技術文献】
【特許文献】
【０００６】
【特許文献１】実公平４−５３１３５号公報
【特許文献２】実開平５−８４１１６号公報
【発明の概要】
【発明が解決しようとする課題】
【０００７】
特許文献１，２に係るケーブル配線用ダクトでは、本体部，コーナ部が共通の断面積とされコーナ部の突出が回避されているものの、本体部，コーナ部が深箱形で全体が建屋の外壁面から大きく突出してしまうため、建屋の外壁面にケーブルを整列させた状態で配線するには不適であるという問題点がある。また、コーナ部に作業窓を設けたり分割構造を設けたりして設備後に実施されるケーブルの配線作業の容易化を図っているものの、ケーブルの配線作業の容易性が充分に確保されているとはいえないという問題点がある。
【０００８】
本発明は、このような問題点を考慮してなされたもので、建屋の外壁面にケーブルを整列させた状態で配線するためにコンパクトに設備することができ、ケーブルの配線作業に容易性が充分に確保され得るケーブル配線用ダクトを提供することを課題とする。
【課題を解決するための手段】
【０００９】
前述の課題を解決するため、本発明に係るケーブル配線用ダクトは、特許請求の範囲の各請求項に記載の手段を採用する。
【００１０】
即ち、請求項１では、ケーブルを整列された状態で建屋の外壁面に配線するための薄箱形の本体部と、ケーブルの配線方向が変換される地中からの立上部分と建屋の内部への引込部分とにケーブルの湾曲を収容するためのコーナ部とを備えたケーブル配線用ダクトにおいて、ケーブルの立上部分が建屋近くの地面に保護管に挿通されて立上げられ、ケーブルの引込部分が建屋の上部に開口された引込窓に引込まれるものであり、本体部は建屋の外壁面に固定された枕部材と枕部材に固定され横方向に間隔を介して上下方向に延びるように配設された１対の側枠部材と側枠部材の間に掛渡されケーブルを整列支持する桟部材と両側枠部材に被覆されるように固定され下方側，上方側の一部においてコーナ部の取付面となるように側枠部材を開放させた幕板部材とからなり、コーナ部は本体部からの突出の容積を削減するテーパを有した形状とされケーブルの配線の後に後付けで本体部の開放された側枠部材に当接されて固定され外観的に幕板部材となる取付板が設けられていることを特徴とする。
【００１１】
この手段では、コーナ部がテーパを有した形状とされて本体部からの突出の容積が削減され、コーナ部がケーブルの配線の後に後付けで本体部等に固定され配線の邪魔になることが避けられる。また、本体部が側枠部材，幕板部材の簡素な構造で構成される。
【００１２】
また、請求項２では、請求項１のケーブル配線用ダクトにおいて、ケーブルの建屋の内部への引込部分に位置される上部コーナ部は側部，上部に建屋の外壁面に当接されて固定される側部取付板，上部取付板が設けられていることを特徴とする
【００１３】
この手段では、上部コーナ部に建屋の外壁面に当接されて固定される側部取付板，上部取付板が設けられる。
【発明の効果】
【００１４】
本発明に係るケーブル配線用ダクトは、コーナ部がテーパを有した形状とされて本体部からの突出の容積が削減され、コーナ部がケーブルの配線の後に後付けで本体部等に固定され配線の邪魔になることが避けられるため、建屋の外壁面にケーブルを整列させた状態で配線するためにコンパクトに設備することができ、ケーブルの配線作業に容易性が充分に確保され得る効果がある。また、本体部が側枠部材，幕板部材の簡素な構造で構成されるため、安価，容易に製造することができる効果がある。
【００１５】
さらに、請求項２として、上部コーナ部に建屋の外壁面に当接されて固定される側部取付板，上部取付板が設けられるため、ケーブルの建屋の内部への引込部分を囲んで本体部の側枠部材と建屋の外壁面とに簡単，強固に後付けすることができる効果がある。
【図面の簡単な説明】
【００１６】
【図１】本発明に係るケーブル配線用ダクトを実施するための形態の斜視図である。
【図２】図１の要部の分解状態の拡大された詳細図である。
【図３】図２の組立状態の縦断面図である。
【図４】図１の他の要部の分解状態の拡大された詳細図である。
【図５】図４の組立状態の縦断面図である。
【発明を実施するための形態】
【００１７】
以下、本発明に係るケーブル配線用ダクトを実施するための形態を図面に基づいて説明する。
【００１８】
この形態では、建屋Ｂの近くの地面Ｅに保護管Ｔに挿通されて立上げられたケーブルＣを建屋Ｂの上部に開口された引込用窓Ｄに引込む配線に使用されるものを示してある。
【００１９】
この形態は、図１に示すように、本体部１，コーナ部（下部コーナ部２，上部コーナ部３）からなる。
【００２０】
本体部１は、地面Ｅに平行で上下に一定間隔を介して建屋Ｂの外壁面に固定された枕部材１１と、枕部材１１に固定され横方向に間隔を介して上下方向に延びるように配設された１対の側枠部材１２と、側枠部材１２の間に掛渡された桟部材１３と、両側枠部材１２に被覆されるように固定された幕板部材１４とからなる。側枠部材１２は、地面Ｅの少し上方から引込用窓Ｄの少し下方まで配設されている。桟部材１３は、ケーブルＣを整列支持するもので、上下方向に一定の間隔を介して配置されている。幕板部材１４は、配設された側枠部材１２の下方側，上方側の一部において下部コーナ部２，上部コーナ部３の取付面となるように側枠部材１２を開放させている。
【００２１】
下部コーナ部２は、コーナ部本体２１の上部に上部取付板２２が設けられている。コーナ部本体２１は、上部のテーパ２１ａと下部の前板２１ｂと側部の側板２１ｃとによって囲まれる断面台形状に形成されている。コーナ部本体２１の側板２１ｃは、端面が建屋Ｂの外壁面に当接されるように突出されている。上部取付板２２は、本体部１の幕板部材１４から下部側で開放されている側枠部材１２に当接されるように外観的には幕板部材１４となる板形に形成され、側枠部材１２にネジ２４で固定するためのネジ孔２３が穿孔されている。
【００２２】
上部コーナ３は、コーナ部本体３１の下部に下部取付板３２が設けられ側部に側部取付板３３が設けられ上部に上部取付板３４が設けられている。コーナ部本体３１は、上部，下部のテーパ３１ａ，３１ｂと中央部の前板３１ｃと側部の側板３１ｄとによって囲まれる断面台形状に形成されている。下部取付板３２は、本体部１の幕板部材１４から上部側で開放されている側枠部材１２に当接されるように外観的には幕板部材１４となる板形に形成されている。側部取付板３３，上部取付板３４は、建屋Ｂの引込用窓Ｄの周囲の外壁面に当接されるフランジ形に形成されている。下部取付板３２，側部取付板３３，上部取付板３４には、側枠部材１２や建屋Ｂの外壁面にネジ３５で固定するためのネジ孔３６が穿孔されている。
【００２３】
この形態は、本体部１が枕部材１１，側枠部材１２，桟部材１３，幕板部材１４の簡素な構造であり、下部コーナ部２，上部コーナ部３がプレスされた金属板を折曲げ加工して製造することのできる構造であることから、安価，容易な製造が可能である。
【００２４】
この形態を設備するには、ケーブルの配線作業に先行して、本体部１の枕部材１１，側枠部材１２，桟部材１３の組立て固定が実施される。
【００２５】
この後、地面Ｅから立上げられたケーブルＣを湾曲させて本体部１の桟部材１３に整列支持させ建屋Ｂに引込用窓Ｄに引込むようにして、ケーブルＣの配線作業が実施される。
【００２６】
続いて、本体部１の側枠部材１２に幕板部材１４が固定され、側枠部材１２や建屋Ｂの外壁面に下部コーナ部２，上部コーナ部３が取付け固定される。
【００２７】
従って、ケーブルＣの配線作業に際して、本体部１，下部コーナ部２，上部コーナ部３が邪魔になることがなく、ケーブルの配線作業に容易性が充分に確保される。また、配線されたケーブルＣは、建屋Ｂの外壁面に整列された状態となる。
【００２８】
なお、下部コーナ部２，上部コーナ部３の取付け固定の際には、ケーブルＣが大きく湾曲していても、下部コーナ部２のコーナ部本体２１のテーパ２１ａや上部コーナ部３のコーナ部本体３１のテーパ３１ａ，３１ｂからなる傾斜面でケーブルＣを傷付けることなく内側に押込むことができる。
【００２９】
取付け固定された下部コーナ部２は、ケーブルＣの立上げの周囲を完全に密封する構造を構成しないことから、内部に吹込まれた雨水等の排水性が確保されている。また、下部コーナ部２のコーナ部本体２１のテーパ２１ａは、雨水の流下を促して下部コーナ部２における雨水の滞溜を阻止するとともに、強風を逃がして強風による損壊を阻止する。
【００３０】
取付け固定された上部コーナ部３は、本体部１（側枠部材１２）と建屋Ｂの外壁面とに複数箇所で強固に固定されることから、高所にあっても強風にも耐え得る取付け強度が確保される。また、上部コーナ部３のコーナ部本体３１のテーパ３１ａ，３１ｂは、雨水の流下を促して上部コーナ部３における雨水の滞溜を阻止するとともに、強風を逃がして強風による損壊を阻止する。
【００３１】
取付け固定された下部コーナ部２，上部コーナ部３は、コーナ部本体２１のテーパ２１ａやコーナ部本体３１のテーパ３１ａ，３１ｂによって、本体部１からの突出の容積が削減されている。従って、本体部１からの下部コーナ部２，上部コーナ部３の突出が少なくなって、設備に大きなスペースが要求されなくなってコンパクトな設備が可能になる。
【００３２】
なお、この形態の本体部１，下部コーナ部２，上部コーナ部３が分解可能であることから、ケーブルＣの再配線にも対応が可能である。
【００３３】
以上、図示した形態の外に、下部コーナ部２，上部コーナ部３をブラケットを使用して本体部１や建屋Ｂの外壁面に取付け固定するように構成することも可能である。
【産業上の利用可能性】
【００３４】
本発明に係るケーブル配線用ダクトは、低層から高層の建屋の外壁面に沿ってのケーブルの配線に使用することが可能である。
【符号の説明】
【００３５】
１              本体部
１２            側枠部材
１４            幕板部材
２              下部コーナ部（コーナ部）
２１            コーナ部本体
２１ａ          テーパ
２２            上部取付板
３              上部コーナ部（コーナ部）
３１            コーナ部本体
３１ａ，３１ｂ  テーパ
３２            下部取付板
３３            側部取付板
３４            上部取付板
Ｂ            建屋
Ｃ            ケーブル
【図１】
0005893907.tif 000002
【図２】
0005893907.tif 000003
【図３】
0005893907.tif 000004
【図４】
0005893907.tif 000005
【図５】
0005893907.tif 000006